(57)【要約】【課題】記録パルスで変調されたレーザ光と描画パルスで変調されたレーザ光を用いてデータ記録と描画を同時に行う場合に、両ビームとも好適な合焦状態に制御する。【解決手段】光ピックアップ１６の一方のレーザ光２０の光軸上に液晶光学素子（液晶レンズ）５３を配置する。光ピックアップ１６の対物レンズ１８から、記録パルス、描画パルスでそれぞれ変調された２本のレーザ光を同軸状にかつ合焦位置を光軸方向に相互にずらして出射する。光ディスク１２には描画層２６とデータ記録層３６が積層形成されている。液晶光学素子５３に印加する電圧を調整して２ビーム２０，２２の合焦位置間の距離を２層２６，３６間の距離に調整する。この調整状態を保持して、フォーカスアクチュエータ７４で一方のレーザ光を一方の層にフォーカス制御しながらデータ記録と描画を同時に行う。【選択図】図１
2007335045.tif 000002
【特許請求の範囲】
【請求項１】
１台の光ピックアップの１つの対物レンズから２本のビームを合焦位置を光軸方向に相互にずらして出射し、厚み方向の互いに異なる位置にデータ記録層と描画層を具えた光ディスクに対し、一方のビームで前記データ記録層にデータ記録を行いながら、同時に他方のビームで前記描画層に可視画像の形成を行う方法において、
前記光ピックアップに、前記対物レンズをその光軸方向に動かしてフォーカス調整するフォーカス調整機構と、前記２本のビームの合焦位置相互間の距離を調整する合焦位置間距離調整機構を設け、
前記２本のビームを前記光ディスクの前記データ記録層と前記描画層にそれぞれ照射し、その合焦状態を検出して前記合焦位置間距離調整機構で該２本のビームの合焦位置相互間の距離を調整し、この状態でいずれか一方のビームに基づき前記フォーカス調整機構でフォーカス制御をして該光ディスクに対するデータ記録および可視画像の形成動作を実行する光ディスク記録・描画方法。
【請求項２】
前記２本のビームの合焦位置相互間の距離の調整を前記データ記録および可視画像の形成動作を実行する前に行い、該データ記録および可視画像の形成動作の実行中は、該２本のビームの合焦位置相互間の距離を該データ記録および可視画像の形成動作の実行前に調整した値に保持する請求項１記載の光ディスク記録・描画方法。
【請求項３】
前記データ記録および可視画像の形成動作の実行中に、前記２本のビームの合焦位置相互間の距離の調整を行う請求項１記載の光ディスク記録・描画方法。
【請求項４】
前記２本のビームの合焦位置相互間の距離の調整を、前記フォーカス調整機構でいずれか一方のビームを前記データ記録層と前記描画層の一方の層に所望の状態に合焦させた状態で、前記合焦位置間距離調整機構で他方のビームを前記データ記録層と前記描画層の他方の層に所望の状態に合焦させることにより行う請求項１から３のいずれかに記載の光ディスク記録・描画方法。
【請求項５】
前記データ記録および可視画像の形成動作の実行中に、前記フォーカス調整機構によるフォーカス制御を前記データ記録を行っている方のビームを用いて行う請求項１から４のいずれかに記載の光ディスク記録・描画方法。
【請求項６】
前記データ記録および可視画像の形成動作の実行中に、前記データ記録を行っている方のビームを用いてトラッキング制御を行う請求項１から５のいずれかに記載の光ディスク記録・描画方法。
【請求項７】
前記データ記録および可視画像の形成動作の実行中に、前記２本のビームについて再生パワーおよび記録パワーをそれぞれ検出し、該２本のビームの各パワーがそれぞれ所定値を維持するようにサーボループを形成して該各パワーを制御し、またはデータ記録を行っているビームについて再生パワーおよび記録パワーをそれぞれ検出し、該ビームの各パワーがそれぞれ所定値を維持するようにサーボループを形成して該各パワーを制御し、描画を行っているビームについて再生パワーおよび記録パワーをサーボループを形成せずに固定駆動とする請求項１から６のいずれかに記載の光ディスク記録・描画方法。
【請求項８】
２本のビームを合焦位置を光軸方向に相互にずらして出射する対物レンズ、該対物レンズをその光軸方向に動かしてフォーカス調整するフォーカス調整機構、前記２本のビームの合焦位置相互間の距離を調整する合焦位置間距離調整機構を具える光ピックアップと、
前記フォーカス調整機構を動作させてフォーカス制御を行うフォーカス制御回路と、
前記合焦位置間距離調整機構を動作させて前記２本のビームの合焦位置相互間の距離を調整する合焦位置間距離調整回路と、
厚み方向の互いに異なる位置にデータ記録層と描画層を具えた光ディスクの該データ記録層と該描画層に前記２本のビームをそれぞれ照射し、その合焦状態を検出して前記合焦位置間距離調整回路で該２本のビームの合焦位置相互間の距離を調整し、この状態でいずれか一方のビームに基づき前記フォーカス制御回路でフォーカス制御をしながら、該２本のビームで該光ディスクに対するデータ記録および可視画像の形成を同時に行う制御を実行する制御部と
を具備してなる光ディスク記録・描画装置。
【請求項９】
前記合焦位置間距離調整機構が、前記データ記録および可視画像の形成動作を実行中に前記フォーカス制御に用いられない方のビームの光軸に配された液晶光学素子で構成される請求項８記載の光ディスク記録・描画装置。
【請求項１０】
前記制御部が、スピンドルモータから発生するＦＧパルスが所定の基準クロックに同期するように該スピンドルモータをＣＡＶ制御し、描画用ビーム光を変調する描画パルスを前記基準クロックに同期して生成し、データ記録用ビームを変調する記録パルスを前記光ディスクから検出されるウォブル信号に同期して生成する請求項８または９記載の光ディスク記録・描画装置。
【請求項１１】
前記制御部が、データ記録層の記録情報から該光ディスクが描画可能な描画層を具えていることを示す識別情報を取得したことを条件に該描画層に対する描画動作を許可し、データ記録層の記録情報から前記識別情報を取得できない場合は該描画動作を禁止する請求項８から１０のいずれかに記載の光ディスク描画装置。
【請求項１２】
データ記録層を有し描画層を有しない光ディスクについて、該データ記録層に対しいずれか一方のビームでフォーカス制御およびトラッキング制御を行いながらデータ記録を行うことができる請求項８から１１のいずれかに記載の光ディスク描画装置。
【発明の詳細な説明】
【技術分野】
【０００１】
この発明は、１台の光ピックアップの１つの対物レンズから２本のビームを、合焦位置を光軸方向に相互にずらして出射し、厚み方向の互いに異なる位置にデータ記録層と描画層を具えた光ディスクに対し、一方のビームでデータ記録層にデータ記録を行いながら、同時に他方のビームで描画層に可視画像の形成（描画）を行う（以下これを「同時記録・描画」という）方法および装置に関し、両ビームとも各対応する層に好適な合焦状態に制御して同時記録・描画を行えるようにしたものである。
【背景技術】
【０００２】
記録可能型ＣＤ、記録可能型ＤＶＤ等の光ディスクの盤面に感熱層、感光層等による描画層を形成し、該光ディスクのデータ記録層にデータ記録を行う光ディスク記録装置を光ディスク描画装置として兼用して、光ピックアップから、画像データに応じて変調したレーザ光を前記描画層に照射して、該描画層に描画を行う技術が下記特許文献１に記載されている。特許文献１に記載の技術は１台の光ピックアップから２本のレーザ光を同軸状に出射し、そのうちの１本のレーザ光をデータ記録層に照射しフォーカス制御およびトラッキング制御してデータ記録を行い、該データ記録と並行して該レーザ光でデータ記録層から位置情報を検出し、該検出された位置情報に基づいて、他の１本のレーザ光で描画層の所定位置に描画を行う（すなわち、同時記録・描画を行う）ものである。
【０００３】
【特許文献１】特開２００５−３４６８８６号公報（図２）
【発明の開示】
【発明が解決しようとする課題】
【０００４】
特許文献１記載の技術は、一方のビームがフォーカス制御によってデータ記録層に合焦状態にあるときに他方のビームが描画層に丁度合焦状態となるように光ピックアップの光学系が構成されている。しかし、２ビームとも各対応する層に好適な合焦状態で照射されるように光学系を設計するのは難しい。たとえ理想的な状態に設計できたとしても、データ記録層と描画層間の距離は両層間に配置される基板の厚みのばらつきによりディスクごとに変動するため、使用するディスクによっては前記他方のビームが対応する層に対し好適な合焦状態が得られないという状態が生じる。
【０００５】
この発明は、上記従来技術の欠点を解決して、両ビームとも各対応する層に好適な合焦状態に制御して同時記録・描画を行えるようにした光ディスク記録・描画方法および光ディスク記録・描画装置を提供しようとするものである。
【課題を解決するための手段】
【０００６】
この発明の光ディスク記録・描画方法は、１台の光ピックアップの１つの対物レンズから２本のビームを合焦位置を光軸方向に相互にずらして出射し、厚み方向の互いに異なる位置にデータ記録層と描画層を具えた光ディスクに対し、一方のビームで前記データ記録層にデータ記録を行いながら、同時に他方のビームで前記描画層に可視画像の形成を行う方法において、前記光ピックアップに、前記対物レンズをその光軸方向に動かしてフォーカス調整するフォーカス調整機構と、前記２本のビームの合焦位置相互間の距離を調整する合焦位置間距離調整機構を設け、前記２本のビームを前記光ディスクの前記データ記録層と前記描画層にそれぞれ照射し、その合焦状態を検出して前記合焦位置間距離調整機構で該２本のビームの合焦位置相互間の距離を調整し、この状態でいずれか一方のビームに基づき前記フォーカス調整機構でフォーカス制御をして該光ディスクに対するデータ記録および可視画像の形成動作を実行するものである。これによれば、合焦位置間距離調整機構で２本のビームの合焦位置相互間の距離を調整した状態でいずれか一方のビームに基づきフォーカス調整機構でフォーカス制御を行うので、両ビームとも各対応する層に好適な合焦状態に制御して同時記録・描画を行うことができる。
【０００７】
この光ディスク記録・描画方法において、前記２本のビームの合焦位置相互間の距離の調整を前記データ記録および可視画像の形成動作を実行する前に行い、該データ記録および可視画像の形成動作の実行中は、該２本のビームの合焦位置相互間の距離を該データ記録および可視画像の形成動作の実行前に調整した値に保持することができる。あるいは、前記データ記録および可視画像の形成動作の実行中に、前記２本のビームの合焦位置相互間の距離の調整を行うこともできる。
【０００８】
この光ディスク記録・描画方法において、前記２本のビームの合焦位置相互間の距離の調整を、前記フォーカス調整機構でいずれか一方のビームを前記データ記録層と前記描画層の一方の層に所望の状態に合焦させた状態で、前記合焦位置間距離調整機構で他方のビームを前記データ記録層と前記描画層の他方の層に所望の状態に合焦させることにより行うことができる。
【０００９】
この光ディスク記録・描画方法において、前記データ記録および可視画像の形成動作の実行中に、前記フォーカス調整機構によるフォーカス制御を前記データ記録を行っている方のビームを用いて行うことができる。
【００１０】
この光ディスク記録・描画方法において、前記データ記録および可視画像の形成動作の実行中に、前記データ記録を行っている方のビームを用いてトラッキング制御を行うことができる。
【００１１】
この光ディスク記録・描画方法において、前記データ記録および可視画像の形成動作の実行中に、前記２本のビームについて再生パワーおよび記録パワーをそれぞれ検出し、該２本のビームの各パワーがそれぞれ所定値を維持するようにサーボループを形成して該各パワーを制御し、またはデータ記録を行っているビームについて再生パワーおよび記録パワーをそれぞれ検出し、該ビームの各パワーがそれぞれ所定値を維持するようにサーボループを形成して該各パワーを制御し、描画を行っているビームについて再生パワーおよび記録パワーをサーボループを形成せずに固定駆動とすることができる。
【００１２】
この発明の光ディスク記録・描画装置は、２本のビームを合焦位置を光軸方向に相互にずらして出射する対物レンズ、該対物レンズをその光軸方向に動かしてフォーカス調整するフォーカス調整機構、前記２本のビームの合焦位置相互間の距離を調整する合焦位置間距離調整機構を具える光ピックアップと、前記フォーカス調整機構を動作させてフォーカス制御を行うフォーカス制御回路と、前記合焦位置間距離調整機構を動作させて前記２本のビームの合焦位置相互間の距離を調整する合焦位置間距離調整回路と、厚み方向の互いに異なる位置にデータ記録層と描画層を具えた光ディスクの該データ記録層と該描画層に前記２本のビームをそれぞれ照射し、その合焦状態を検出して前記合焦位置間距離調整回路で該２本のビームの合焦位置相互間の距離を調整し、この状態でいずれか一方のビームに基づき前記フォーカス制御回路でフォーカス制御をしながら、該２本のビームで該光ディスクに対するデータ記録および可視画像の形成を同時に行う制御を実行する制御部とを具備してなるものである。
【００１３】
この光ディスク記録・描画装置において、前記合焦位置間距離調整機構を、前記データ記録および可視画像の形成動作を実行中に前記フォーカス制御に用いられない方のビームの光軸に配された液晶光学素子で構成することができる。
【００１４】
この光ディスク記録・描画装置において、スピンドルモータから発生するＦＧパルスが所定の基準クロックに同期するように該スピンドルモータをＣＡＶ制御し、描画用ビーム光を変調する描画パルスを前記基準クロックに同期して生成し、データ記録用ビームを変調する記録パルスを前記光ディスクから検出されるウォブル信号に同期して生成することができる。
【００１５】
この光ディスク記録・描画装置において、データ記録層の記録情報から該光ディスクが描画可能な描画層を具えていることを示す識別情報を取得したことを条件に該描画層に対する描画動作を許可し、データ記録層の記録情報から前記識別情報を取得できない場合は該描画動作を禁止することができる。
【００１６】
この光ディスク記録・描画装置において、データ記録層を有し描画層を有しない光ディスクについて、該データ記録層に対しいずれか一方のビームでフォーカス制御およびトラッキング制御を行いながらデータ記録を行うものとすることができる。
【発明を実施するための最良の形態】
【００１７】
この発明の実施の形態１を説明する。図１はこの発明が適用された描画機能付き光ディスク装置１０のシステム構成を示す。光ディスク装置１０は既存のＣＤ規格ディスクについてデータ記録・再生、既存のＤＶＤ規格ディスクについてデータ記録・再生を行えるほか、ＣＤ規格記録＋描画可能型光ディスクについてデータのみの記録（以下これを「データ単独記録」という）、同時記録・描画、データ再生、ＤＶＤ規格記録＋描画可能型光ディスクについてデータ単独記録、同時記録・描画、データ再生を行えるものである。ＣＤ規格記録＋描画可能型光ディスクおよびＤＶＤ規格記録＋描画可能型光ディスクは後述するようにデータ記録層と描画層が積層形成されたもので、データ記録・再生はデータ記録層に対して行われ、描画は描画層に対して行われる。
【００１８】
光ディスク１２はスピンドルモータ１４で回転駆動される。スピンドルモータ１４からはＦＧパルスが１回転につき所定パルス数ずつ等角度間隔で出力される。光ピックアップ１６はスレッド送りモータ１１によって光ディスク１２の径方向に移送される。光ピックアップ１６の対物レンズ１８からは２個のレーザダイオードから出射される２本のレーザ光２０，２２（いずれも主ビームをいう）が同軸状にかつそれらの合焦位置が光ディスク１２内でデータ記録層と描画層の間隔に近似した固定距離分光軸方向に相互にずれた状態となるように出射される。レーザ光２０，２２の合焦位置間の距離（以下「合焦位置間距離」という）は後述するように調整可能である。ここではレーザ光２０がＣＤ用、レーザ光２２がＤＶＤ用であるとする。
【００１９】
ホストコンピュータ１３からは、データ単独記録を行うときは記録データ（音楽データ等）が送出され、同時記録・描画を行うときは記録データおよび画像データが時分割で送出される。これら記録データと画像データは光ディスク装置１０に転送され、それぞれバッファメモリ１５Ａ、１５Ｂを介して信号処理部１７に入力される。信号処理部１７はＤＳＰ（Digital Signal Processor）で構成され、制御部１９、エンコーダ２１Ａ、２１Ｂ、デコーダ２３等を具備する。信号処理部１７に入力された記録データはエンコーダ２１Ａでエンコード（光ディスク１２がＣＤ規格ディスクの場合はＥＦＭ変調、ＤＶＤ規格ディスクの場合は８／１６変調）される。エンコードされた記録データ（“１”、“０”２値の記録パルス）はストラテジー回路２５で適宜の時間軸補正が施されてレーザドライバ２７に供給される。レーザドライバ２７はこの記録パルスに応じて光ピックアップ１６内のレーザダイオード（ＣＤデータの場合はＣＤ用レーザダイオード、ＤＶＤデータの場合はＤＶＤ用レーザダイオード）に駆動電流を供給し、光ディスク１２のデータ記録層にデータ記録を行う。
【００２０】
信号処理部１７に入力された画像データはエンコーダ２１Ｂで適宜のエンコード処理をされた後、ＦＩＦＯ（First-In First-Out）メモリ２９を経てパルス生成部３１に入力される。パルス生成部３１は入力される画像データに基づき、該画像データを構成する画素ごとの“１”、“０”２値のパルス信号（描画パルス）を生成する。すなわち、画像データは描画する各画素の階調を表すデータ（階調データ）で構成されており、パルス生成部３１は、１画素あたりの描画割り当て時間が一定で該各画素の階調データに応じてデューティが変化する描画パルスを順次生成する（図１１参照）。パルス生成部３１で生成された描画パルスはストラテジー回路２５で適宜の時間軸補正が施されてレーザドライバ２７に供給される。レーザドライバ２７はこの描画パルスに応じて光ピックアップ１６内のレーザダイオード（ＣＤ用レーザダイオードまたはＤＶＤ用レーザダイオード）を駆動し、光ディスク１２の描画層に描画を行う。描画された１つの画素は人の目には１つの点（ドット）として認識され、また各ドットのデューティの違いは人の目には描画の濃度の違いとして感じられる（デューティが高いほど濃い描画として感じられる）ので、これによりモノクロ多階調による描画が実現される。なお、ストラテジー回路２５は記録パルスと描画パルスの時間軸補正を並行して行うことができる。また、レーザドライバ２７は記録パルスと描画パルスのいずれか一方によるＣＤ用レーザダイオードの駆動と、記録パルスと描画パルスのいずれか他方によるＤＶＤ用レーザダイオードの駆動を並行して行うことができる。
【００２１】
ウォブル検出回路３３はデータ単独記録時、同時記録・描画時およびデータ再生時に、光ピックアップ１６のデータ記録またはデータ再生を行っているレーザ光の戻り光信号からウォブル信号を検出する。ＲＦ回路３５はデータ単独記録時、同時記録・描画時およびデータ再生時に光ピックアップ１６のデータ記録またはデータ再生を行っているレーザ光の戻り光信号（ＲＦ信号）を増幅する。信号処理部１７のデコーダ２３はこのＲＦ信号をデコード（光ディスク１２がＣＤ規格ディスクの場合はＥＦＭ復調、ＤＶＤ規格ディスクの場合は８／１６復調）して記録データを復調する。復調された記録データはバッファメモリ（バッファメモリ１５Ａまたは別途設けられた図示しないバッファメモリ）を介してホストコンピュータ１３に転送される。
【００２２】
サーボ回路３７はデータ単独記録時、同時記録・描画時およびデータ再生時に光ピックアップ１６のデータ記録またはデータ再生を行っているレーザ光の戻り光（ＣＤデータの記録および再生時はＣＤ用レーザ光２０の戻り光、ＤＶＤデータの記録および再生時はＤＶＤ用レーザ光２２の戻り光）に基づき光ピックアップ１６のフォーカス制御、トラッキング制御、スレッド送り制御を行う。また、サーボ回路３７はスピンドルモータ１４を、データ単独記録時にウォブル信号に基づき線速度一定（ＣＬＶ）に制御し、同時記録・描画時にスピンドルモータ１４から出力されるＦＧパルスに基づき回転数一定（ＣＡＶ）に制御し、データ再生時にウォブル信号またはＲＦ信号から再生される再生クロックに基づき線速度一定に制御する。サーボ回路３７は後述するように、同時記録・描画の開始前に、２本のレーザ光２０，２２の合焦位置間距離の調整を行う。調整された合焦位置間距離は同時記録・描画が終了するまで（描画が先に終了する場合は描画が終了するまででもよい）保持される。
【００２３】
ＡＬＰＣ（Automatic Laser Power Control）回路３９は光ピックアップ１６内のフロントモニタで検出されるレーザパワーに基づき、データ単独記録時はデータ記録を行うレーザ光の再生パワーおよび記録パワーが、同時記録・描画時はデータ記録を行うレーザ光の再生パワーと記録パワーおよび描画を行うレーザ光の再生パワー（非描画パワー）と記録パワー（描画パワー）が、データ再生時はデータ再生を行うレーザ光の再生パワーが、それぞれ制御部１９で指令された値に一致するようにサーボループを形成してレーザドライバ２７を制御する。
【００２４】
この発明の描画方法で使用できる描画可能型光ディスクの層構造例を図２〜図４を参照して説明する。図２および図３はＣＤ規格記録＋描画可能型光ディスク、図４はＤＶＤ規格記録＋描画可能型光ディスクである。図２〜図４の光ディスク１２はいずれも、同一面側から波長および合焦位置が異なるレーザ光２０，２２を入射してデータ記録層に対するデータ記録およびデータ再生と描画層に対する描画を行うことができる。光ディスク１２のレーザ光２０，２２が入射される側の面を「レーザ入射面１２ａ」といい、その反対側の面を「レーベル面１２ｂ」というものとする。図２〜図４はいずれも、一方のレーザ光でデータ記録層にデータ記録を行い、他方のレーザ光で描画層に描画を行う同時記録・描画時の状態を示す。なお、図２〜図４では説明の便宜上レーザ光２０，２２を離れた位置に図示しているが、実際にはレーザ光２０，２２は１つの対物レンズ１８から同軸状に出射される。
【００２５】
図２〜図４において、描画層はレーザ光の照射により可視光特性が変化するもので、感熱材料、感光材料等で構成されている。この描画層は例えばデータ記録層と同じ色素材料で構成することができる。データ記録層にはトラックとしてウォブルグルーブが形成されている。描画層にはトラックは形成されていない。データ記録層と描画層の配列順序は、データ記録層の方がレーザ入射側に近い配置、描画層の方がレーザ入射側に近い配置のいずれもとり得る。レーザ入射側から見て奥側の層への該レーザ光の照射は手前側の層を透過して行われる。図２〜図４の層構造はいずれも描画層を、データ記録層に対し、該描画層に描画された画像を目視する方向に近い側に配置し、該画像を視認しやすくしている。図２および図３のＣＤ規格記録＋描画可能型光ディスク１２は正規のＣＤ−Ｒディスクで使用されている１．２ｍｍ厚の１枚の基板に代えて、それぞれ０．６ｍｍ厚に形成されている２枚の基板を用意し、これら２枚の基板を、間に描画層を挟んで相互に貼り合わせたものである。図４のＤＶＤ規格記録＋描画可能型光ディスク１２はＤＶＤディスクに描画層を追加形成したものである。図２〜図４において共通する部分には同一の符号を用いる。
【００２６】
図２〜図４の各光ディスク１２について説明する。
《光ディスクの層構造例１：図２〉
図２のＣＤ規格記録＋描画可能型光ディスク１２はグルーブが形成されていない０．６ｍｍ厚のポリカーボネート基板２４の表面に描画層２６、合焦制御用半透明反射層２８を順次積層した第１基板３０と、０．６ｍｍ厚のポリカーボネート基板３２のグルーブ３４が形成されている表面にデータ記録層３６、合焦制御用反射層３８、保護層４０を順次積層した第２基板４２とを、透明接着層４４で相互に接合して、全体を１．２ｍｍ厚の一体構造に形成したものである。
【００２７】
データ記録層３６に対するデータ単独記録およびデータ再生はＣＤ用レーザ光２０を用いて行われる。このときフォーカス制御およびトラッキング制御はＣＤ用レーザ光２０を用いて行われ、スレッド送り制御はトラッキングエラー信号の直流成分に基づいて行われる。同時記録・描画は、ＣＤ用レーザ光２０でデータ記録層３６に対するデータ記録を行いながら、同時にＤＶＤ用レーザ光２２で描画層２６に対する描画を行う。このときフォーカス制御およびトラッキング制御はＣＤ用レーザ光２０を用いて行われ、スレッド送り制御はトラッキングエラー信号の直流成分に基づいて行われる。このとき２本のレーザ光２０，２２の合焦位置ｆａ，ｆｂ間の光軸方向距離は、同時記録・描画動作開始前の後述する初期調整でデータ記録層３６と描画層２６間の距離（０．６ｍｍ）またはこれに近い固定距離に調整されているので、ＤＶＤ用レーザ光２２は必然的に描画層２６に合焦またはほぼ合焦された状態で描画を行う。また、ＤＶＤ用レーザ光２２はトラッキング制御されているＣＤ用レーザ光２０と一体となってディスク径方向に移動するので、データ記録層３６のトラックピッチ（グルーブ３４のピッチ）に相当する径方向密度で描画層２６に対する描画が行われる。描画された可視画像はレーザ入射面１２ａ側から目視することができる。
【００２８】
《光ディスクの層構造例２：図３〉
図３のＣＤ規格記録＋描画可能型光ディスク１２は図２の光ディスク１２の変形例であり、最表面の保護層４０の上に別の画像を予め印刷した（またはユーザーが印刷可能な）印刷層４６を積層形成したものである。すなわち、印刷層４６には予めディスクメーカーやディスク販売者・頒布者等が任意の画像を印刷しておくことができる。あるいは、印刷層４６を無地の白色等に形成し、ユーザーがプリンタ等を使用して任意の画像を印刷できるようにしておくことができる。データ単独記録、同時記録・描画、データ再生は図２の光ディスク１２と同様にして行われる。描画層２６に描画された可視画像はレーザ入射面１２ａ側から目視され、印刷層４６に印刷された画像はレーベル面１２ｂ側から目視される。
【００２９】
《光ディスクの層構造例３：図４〉
図４のＤＶＤ規格記録＋描画可能型光ディスク１２はＤＶＤ−Ｒ（＋Ｒ）に描画層を追加形成したものである。この光ディスク１２は０．６ｍｍ厚のポリカーボネート基板２４のグルーブ３４が形成されている表面にデータ記録層３６、合焦制御用半透明反射層２８を順次積層した第１基板３０と、０．６ｍｍ厚のグルーブが形成されていないポリカーボネート基板３２の表面に描画層２６、合焦制御用半透明反射層４８、保護層４０を順次積層した第２基板４２とを、透明接着層４４で相互に接合して、全体を１．２ｍｍ厚の一体構造に形成したものである。
【００３０】
データ記録層３６に対するデータ単独記録およびデータ再生はＤＶＤ用レーザ光２２を用いて行われる。このときフォーカス制御およびトラッキング制御はＤＶＤ用レーザ光２２を用いて行われ、スレッド送り制御はトラッキングエラー信号の直流成分に基づいて行われる。同時記録・描画は、ＤＶＤ用レーザ光２２でデータ記録層３６に対するデータ記録を行いながら、同時にＣＤ用レーザ光２０で描画層２６に対する描画を行う。このときフォーカス制御およびトラッキング制御はＤＶＤ用レーザ光２２を用いて行われ、スレッド送り制御はトラッキングエラー信号の直流成分に基づいて行われる。このとき２本のレーザ光２０，２２の合焦位置ｆａ，ｆｂ間の光軸方向距離は、同時記録・描画動作開始前の後述する初期調整でデータ記録層３６と描画層２６間の距離（０．６ｍｍ）またはこれに近い固定距離に調整されているので、ＣＤ用レーザ光２０は必然的に描画層２６に合焦またはほぼ合焦された状態で描画を行う。また、ＣＤ用レーザ光２０はトラッキング制御されているＤＶＤ用レーザ光２２と一体となってディスク径方向に移動するので、データ記録層３６のトラックピッチ（グルーブ３４のピッチ）に相当する径方向密度で描画層２６に対する描画が行われる。描画された可視画像は半透明反射層４８を透過してレーベル面１２ｂ側から目視することができる。
【００３１】
次に、光ピックアップ１６の光学系の構成例を図５に示す。光ピックアップ１６は波長が７８０ｎｍのＣＤ用レーザ光２０を出射するＣＤ用レーザダイオード５０と、波長が６５０ｎｍのＤＶＤ用レーザ光２２を出射するＤＶＤ用レーザダイオード５２を搭載している。ＣＤ用レーザダイオード５０は受光素子付きホログラムレーザで構成されている。ＣＤ用レーザダイオード５０から出射されたＣＤ用レーザ光２０は、液晶補正素子（液晶光学素子、液晶レンズ）５３を介してコリメータレンズ５４で平行光（または平行光に近い発散光）にされた後、ビームスプリッタ５６を透過し、ハーフミラー５８で一部が反射され、１／４波長板６０を経て対物レンズ１８から開口数０．４５程度で出射されて、光ディスク１２に照射される。ＣＤ用レーザ光２０に対する対物レンズ１８の開口数は例えば対物レンズ１８に入射するＣＤ用レーザ光２０のビーム径の調整で設定することができる。液晶補正素子５３は外部から印加される電圧により屈折率が変化して、この素子を通過するレーザ光２０の合焦位置を移動させることにより、ＣＤ用レーザ光２０とＤＶＤ用レーザ光２２の合焦位置間距離を調整するものである。すなわち、同時記録・描画を開始するのに先立ち液晶補正素子５３でＣＤ用レーザ光２０とＤＶＤ用レーザ光２２の合焦位置間距離を調整することにより、データ記録用のレーザ光をデータ記録層に、描画用のレーザ光を描画層にそれぞれ所定の状態に合焦させた状態で同時データ記録・描画が行えるようにしている。液晶補正素子５３に電圧が印加されていない状態で、ＣＤ用レーザ光２０とＤＶＤ用レーザ光２２の光ディスク１２内での合焦位置間距離をデータ記録層と描画層の間隔（０．６ｍｍ）に近い状態に設定すれば、液晶補正素子５３による合焦位置間距離の調整量を少なくすることができる。
【００３２】
光ディスク１２で反射されたＣＤ用レーザ光２０の戻り光は対物レンズ１８から入射され、１／４波長板６０を経てハーフミラー５８で一部が反射され、ビームスプリッタ５６を透過し、コリメータレンズ５４で収束され、液晶補正素子５３を介してＣＤ用レーザダイオード５０（受光素子付きホログラムレーザ）内の受光素子で受光される。この受光素子の受光信号に基づきトラッキングエラー検出、フォーカスエラー検出、ウォブル検出、クロック再生、記録データの復調等が行われる。
【００３３】
ＤＶＤ用レーザダイオード５２から出射されたＤＶＤ用レーザ光２２は回折格子６２を経て偏光ビームスプリッタ６４を透過し、コリメータレンズ６６で平行光にされた後、ビームスプリッタ５６で反射され、ハーフミラー５８で一部が反射され、１／４波長板６０を経てＣＤ用レーザ光２０と同軸状に対物レンズ１８から開口数０．６５程度で出射されて、光ディスク１２に照射される。ＤＶＤ用レーザ光２２に対する対物レンズ１８の開口数は例えば対物レンズ１８に入射するＤＶＤ用レーザ光２２のビーム径の調整で設定することができる。光ディスク１２で反射されたＤＶＤ用レーザ光２２の戻り光は対物レンズ１８から入射され、１／４波長板６０を経てハーフミラー５８で一部が反射され、ビームスプリッタ５６で反射され、コリメータレンズ６６で収束され、偏光ビームスプリッタ６４で反射され、凹レンズ６８（検出レンズ）を経て受光部７０（受光素子）で受光される。この受光部７０の受光信号に基づきトラッキングエラー検出、フォーカスエラー検出、ウォブル検出、クロック再生、記録データの復調等が行われる。なお、ビームスプリッタ５６は図５で上側の面５６ａ（フィルタ面）が波長選択性を有するミラーで構成されているものであり、この面５６ａに入射される波長７８０ｎｍのＣＤ用レーザ光２０を透過させ、波長６５０ｎｍのＤＶＤ用レーザ光２２を反射させる特性を有するものである。
【００３４】
なお、対物レンズ１８はその表面１８ａに輪帯状の回折構造（ブレーズ化ホログラム）を有し、ＣＤとＤＶＤの基板厚の違いによる球面収差を補正する。また、液晶補正素子５３による合焦位置間距離の調整量を少なくするために、液晶補正素子５３に電圧が印加されていない状態でＣＤ用レーザ光２０とＤＶＤ用レーザ光２２の光ディスク１２内での合焦位置間距離をデータ記録層と描画層の間隔（０．６ｍｍ）に近い状態に設定する（すなわち合焦位置間距離を十分引き離す）方法としては、例えば次が考えられる。
（ａ）対物レンズ表面１８ａのホログラムを、ＣＤ用レーザ光２０に対し凹レンズの作用をするように設計する。これにより、ＣＤ用レーザ光２０の合焦位置はＤＶＤ用レーザ光２２の合焦位置から遠ざかった位置に配置される。
（ｂ）対物レンズ１８に対しＤＶＤ用レーザ２２を平行光（無限光学系）で入射させ、ＣＤ用レーザ光２０を発散光（有限光学系）で入射させるようにコリメータレンズ６６，５４を設計し配置する。これにより、ＣＤ用レーザ光２０の合焦位置はＤＶＤ用レーザ光２２の合焦位置から遠ざかった位置に配置される。
【００３５】
ＣＤ用レーザダイオード５０およびＤＶＤ用レーザダイオード５２から出射されたＣＤ用レーザ光２０およびＤＶＤ用レーザ光２２の各一部はハーフミラー５８をそれぞれ透過しビームスプリッタ７１に入射される。ビームスプリッタ７１は波長選択性を有するもので、前記ビームスプリッタ５６と同一のもので構成できる。すなわち、ビームスプリッタ７１は図５で下側の面７１ａ（フィルタ面）が波長選択性を有するミラーで構成されているものであり、この面７１ａに入射される波長７８０ｎｍのＣＤ用レーザ光２０を透過させ、波長６５０ｎｍのＤＶＤ用レーザ光２２を反射させる特性を有するものである。ビームスプリッタ７１を透過したＣＤ用レーザ光２０はＣＤ光用フロントモニタを構成する受光素子７２で受光される。ビームスプリッタ７１で反射されたＤＶＤ用レーザ光２２はＤＶＤ光用フロントモニタを構成する受光素子７３で受光される。
【００３６】
受光素子７２はＣＤ用レーザ光２０のフロントモニタとして該レーザ光２０のレーザパワーの検出に使用される。すなわち、受光素子７２の受光信号に基づきＣＤ用レーザ光２０のＡＬＰＣによる出射パワー制御｛ＣＤ用レーザ光２０でデータ記録を行うときは記録パワーおよび再生パワーの制御、ＣＤ用レーザ光２０で再生を行うときは再生パワーの制御、ＣＤ用レーザ光２０で描画を行うときは記録パワー（描画パワー）および再生パワー（非描画パワー）の制御｝が行われる。
【００３７】
受光素子７３はＤＶＤ用レーザ光２２のフロントモニタとして該レーザ光２２のレーザパワーの検出に使用される。すなわち、受光素子７３の受光信号に基づきＤＶＤ用レーザ光２２のＡＬＰＣによる出射パワー制御｛ＤＶＤ用レーザ光２２でデータ記録を行うときは記録パワーおよび再生パワーの制御、ＤＶＤ用レーザ光２２で再生を行うときは再生パワーの制御、ＤＶＤ用レーザ光２２で描画を行うときは記録パワー（描画パワー）および再生パワー（非描画パワー）の制御｝が行われる。
【００３８】
フォーカスアクチュエータ７４はＣＤ用レーザ光２０およびＤＶＤ用レーザ光２２に共通のフォーカスアクチュエータとして、いずれか一方のフォーカスエラー信号に基づいて駆動され、対物レンズ１８をフォーカス制御方向に動作させる。トラッキングアクチュエータ７６はＣＤ用レーザ光２０およびＤＶＤ用レーザ光２２に共通のトラッキングアクチュエータとして、いずれか一方のトラッキングエラー信号に基づいて駆動され、対物レンズ１８をトラッキング制御方向に動作させる。データ単独記録時およびデータ再生時は一方のレーザ光のみが使用されるので、この使用される方のレーザ光に基づいてトラッキング制御およびフォーカス制御を行う。また、同時記録・描画時はデータ記録を行う方のレーザ光でトラッキングおよびフォーカス制御を行う。なお、同時記録・描画時は描画を行う方のレーザ光でフォーカス制御を行うことも可能であるが、データ記録を行う方のレーザ光でフォーカス制御を行った方がデータ記録を高精度に行うことができる。
【００３９】
液晶補正素子５３の構成例を図６に示す。液晶補正素子５３は周知の液晶光学素子（液晶レンズ）で構成されるもので、ＣＤ用レーザ光２０が透過する面が同心円状パターンに配された透明電極によって複数の液晶領域５３−１，５３−２，・・・、５３−ｎに区分されている。各液晶領域５３−１，５３−２，・・・、５３−ｎごとに印加電圧を調整して屈折率を調整することにより、ＣＤ用レーザ光２０の合焦位置を移動させることができる。
【００４０】
図７は液晶補正素子５３による合焦位置の調整動作を示す。図７（ａ）は液晶補正素子５３に電圧を印加していないときの状態で、対物レンズ１８から出射されたＣＤ用レーザ光２０の合焦位置ｆ０は合焦目標位置５５（データ記録層または描画層）から外れている。この状態から、液晶補正素子５３の各液晶領域５３−１，５３−２，・・・、５３−ｎに印加する電圧を調整することにより、図７（ｂ）に示すように、ＣＤ用レーザ光２０の合焦位置ｆ０を合焦目標位置５５に一致させることができる。
【００４１】
図１のサーボ回路３７におけるフォーカス制御、２ビームの合焦位置間距離調整制御、トラッキング制御、スレッド送り制御に関する部分の構成例を図８に示す。フォーカス制御は、ＣＤ用レーザ光２０の戻り光信号から検出されるフォーカスエラー信号とＤＶＤ用レーザ光２２の戻り光信号から検出されるフォーカスエラー信号のうちスイッチ５７で選択された方の信号をドライブ回路５９に供給し、ドライブ回路５９でフォーカスアクチュエータ７４を駆動してフォーカスエラーを打ち消すようにサーボループが構成されている。
【００４２】
２ビームの合焦位置間距離調整制御は、ＣＤ用レーザ光２０の戻り光信号から検出されるフォーカスエラー信号とＤＶＤ用レーザ光２２の戻り光信号から検出されるフォーカスエラー信号のうちスイッチ６１で選択された方の信号に基づいて液晶補正素子５３を駆動することにより行われる。液晶補正素子５３の駆動信号路に配されたスイッチ６３は液晶補正素子５３の駆動信号を切り換えるもので、制御部１９により切り換えられる。すなわち、スイッチ６３は同時記録・描画動作を開始する前の合焦位置間距離調整時に接点Ｂに接続される。このとき、スイッチ６１で選択されたフォーカスエラー信号はドライブ回路６５およびスイッチ６３を介して液晶補正素子５３を駆動し、フォーカスエラーを打ち消すようにサーボループが構成される。これにより、２本のレーザ光２０，２２の合焦位置間距離が調整される。調整が終了したら、その時のドライブ回路６５の駆動電圧値がＡ／Ｄ変換器５１でディジタルデータに変換され、制御部１９内に格納される。その後、同時記録・描画動作を開始する際に、スイッチ６３は接点Ｃに接続され、制御部１９は前記格納した駆動電圧データをＤ／Ａ変換して固定電圧としてスイッチ６３の接点Ｃに供給する。これにより、液晶補正素子５３は同時記録・描画動作中は連続してこの固定電圧で駆動され、同時記録・描画動作を終了するまで、２本のレーザ光２０，２２の合焦位置間距離が前記調整された状態に保持される。
【００４３】
トラッキング制御は、ＣＤ用レーザ光２０の戻り光信号から検出されるトラッキングエラー信号とＤＶＤ用レーザ光２２の戻り光信号から検出されるトラッキングエラー信号のうちスイッチ６７で選択された方の信号をドライブ回路６９に供給し、ドライブ回路６９でトラッキングアクチュエータ７６を駆動してトラッキングエラーを打ち消すようにサーボループが構成されている。スレッド送り制御は、スイッチ６７で選択されたトラッキングエラー信号について直流成分検出回路７５で直流成分を検出し、ドライブ回路７７を介してスレッド送りモータ１１（ＤＣモータ）を駆動して該直流成分を打ち消すようにサーボループが構成されている。
【００４４】
図８の各スイッチ５７，６１，６７の切り換えは信号処理部１７（図１）の制御部１９によって行われる。なお、同時記録・描画動作中に、２本のレーザ光２０，２２の合焦位置間距離を制御部１９から出力される固定電圧により固定値に保持するのに代えて、図８に点線で示すように、直流成分検出回路７９でフォーカス制御に使用していない方のフォーカスエラー信号（フォーカス駆動信号）の直流成分を検出してスイッチ６３の接点Ａに供給し、スイッチ６３を接点Ａに接続してこの直流成分を打ち消すようにサーボループを形成して液晶補正素子５３を駆動することもできる。
【００４５】
次に、図５のＣＤ用レーザダイオード５０と、ＤＶＤ用レーザダイオード５２の駆動回路の構成例（図１のＡＬＰＣ回路３９とレーザドライバ２７の構成例）を図９に示す。この回路はＣＤ用レーザダイオード駆動回路７８とＤＶＤ用レーザダイオード駆動回路８０を具えている。データ単独記録時またはデータ再生時はＣＤ用レーザダイオード５０、ＤＶＤ用レーザダイオード５２のいずれか一方が使用されるので、このとき他方のレーザダイオードの駆動は休止（消灯）される。同時記録・描画時は両レーザダイオード５０，５２が使用される。図９のサーボスイッチ１００，１０２，１０４，１０６の接続状態（いずれもオン）は、同時記録・描画時の状況を示している。
【００４６】
ＣＤ用レーザダイオード駆動回路７８は再生（リード）パワー駆動電圧を出力するＣＤ用再生パワー駆動電圧出力回路８４と記録（ライト）パワー駆動電圧を出力するＣＤ用記録パワー駆動電圧出力回路８６を並列に具えている。ＤＶＤ用レーザダイオード駆動回路８０は再生パワー駆動電圧を出力するＤＶＤ用再生パワー駆動電圧出力回路８８と記録パワー駆動電圧を出力するＤＶＤ用記録パワー駆動電圧出力回路９０を並列に具えている。各駆動電圧出力回路８４，８６，８８，９０は、サンプルホールド回路９２、９４，９６，９８と、サーボスイッチ１００，１０２，１０４，１０６と、設定器１１１，１１３，１１５，１１７と、アンプ１１９，１２１，１２３，１２５でそれぞれ構成されている。
【００４７】
サンプルホールド回路９２，９４はフロントモニタ用受光素子７２で検出されるＣＤ用レーザ光２０のレーザパワーをサンプルホールドする。サンプルホールド回路９６，９８はフロントモニタ用受光素子７３で検出されるＤＶＤ用レーザ光２２のレーザパワーをサンプルホールドする。サーボスイッチ１００，１０２，１０４，１０６は、各駆動電圧出力回路８４，８６，８８，９０によるサーボ制御系統をオン、オフする。設定器１１１，１１３はサーボループ形成時（サーボスイッチ１００，１０２がオンしている時）に、ＣＤ用レーザダイオード５０の再生パワー指令電圧値｛再生パワー（または非描画パワー）の目標値を指令する電圧値｝Ｖ１、記録パワー指令電圧値｛記録パワー（または描画パワー）の目標値を指令する電圧値｝Ｖ２をそれぞれ出力する。設定器１１５，１１７はサーボループ形成時（サーボスイッチ１０４，１０６がオンしている時）に、ＤＶＤ用レーザダイオード５２の再生パワー指令電圧値｛再生パワー（または非描画パワー）の目標値を指令する電圧値｝Ｖ３、記録パワー指令電圧値｛記録パワー（または描画パワー）の目標値を指令する電圧値｝Ｖ４をそれぞれ出力する。アンプ１１９，１２１，１２３，１２５はサーボスイッチ１００，１０２，１０４，１０６がオンしているときにサンプルホールド値とパワー指令電圧値Ｖ１、Ｖ２、Ｖ３、Ｖ４との偏差電圧をそれぞれ出力する。
【００４８】
なお、描画に使用するレーザ光のレーザパワーはデータ記録に使用するレーザ光のレーザパワーほど厳密さは必要ないので、後述するように、描画に使用するレーザ光についてはサーボループを形成することなく固定の駆動電流で駆動することもできる。この場合は、描画に使用するレーザ光のサーボスイッチをオフする。すなわち、ＣＤ用レーザ光２０で描画する時はサーボスイッチ１００，１０２をオフする。このとき、アンプ１１９，１２１はバッファーアンプとして固定電圧Ｖ１，Ｖ２をそれぞれ出力する。また、ＤＶＤ用レーザ光２２で描画する時はサーボスイッチ１０４，１０６をオフする。このとき、アンプ１２３，１２５はバッファーアンプとして固定電圧Ｖ３，Ｖ４をそれぞれ出力する。
【００４９】
記録パワー駆動電圧の出力経路に配置されたスイッチ１２７，１２９は記録パルスまたは描画パルスの信号レベル“１”、“０”に応じてオン、オフされる。電圧・電流変換器１３１，１３３，１３５，１３７は駆動電圧出力回路８４，８６，８８，９０から出力される偏差電圧をその電圧値に比例した電流に変換する。加算器１３９は電圧・電流変換器１３１，１３３の出力電流を加算してＣＤ用レーザダイオード５０を駆動する。加算器１４１は電圧・電流変換器１３５，１３７の出力電流を加算してＤＶＤ用レーザダイオード５２を駆動する。
【００５０】
次に、光ディスク１２の描画層に描画する１枚の画像を構成する画素の配列例を説明する。該画素の配列例を図１０に模式的に示す。符号１２ｃは光ディスク１２の中心穴を示す。１枚の画像を構成する画素Ｐ１１，Ｐ１２，・・・，Ｐ１ｎ，Ｐ２１，Ｐ２２，・・・Ｐ２ｎ，・・・・・・，Ｐｍｎは光ディスク１２の中心点を中心にデータ記録層のトラック（ウォブルグルーブ）が形成されている領域に該トラックに沿ってトラックピッチΔｒで螺旋状に配列される。画素の周方向の配列間隔（角度）Δθは一定であり、したがって１周あたりの画素数ｎは径方向位置にかかわらず常に一定である。なお、描画する側（レーザ入射面１２ａ側）から見た画像とレーベル面１２ｂ側から見た画像は表裏が反転するので、描画された画像を光ディスク１２のレーベル面１２ｂ側から目視する場合（図４のディスク層構造）は、描画する画像の原図は表裏を反転して用い、目視する側（レーベル面１２ｂ側）から見て表裏が正しく表示されるように描画する。
【００５１】
描画層２６に対する描画は同時記録・描画時に光ディスク１２をＣＡＶ制御して内周側から順次外周側に向けて実行される。すなわち、同時記録・描画時は、基準クロックに同期してスピンドルモータ１４がＣＡＶ制御され、かつこの基準クロックに同期してパルス生成部３１（図１）から一定速度（１個の画素あたりの描画割り当て時間が一定で、１周あたりｎ個の画素を描画する速度）で各画素Ｐ１１，Ｐ１２，・・・，Ｐ１ｎ，Ｐ２１，Ｐ２２，・・・Ｐ２ｎ，・・・・・・，Ｐｍｎの描画パルスが順次出力される。このとき、データ記録層３６に対するデータ記録が同時に行われる。データ記録は検出されるウォブル信号に同期して行われる。そして、このデータ記録を行っているレーザ光でデータ記録層３６のトラック（グルーブ３４）に対するトラッキング制御が行われる。描画を行っているレーザ光２０（または２２）とデータ記録を行っているレーザ光２２（または２０）の光ディスク１２の面に沿った方向の位置関係は相互に固定であるので、描画径方向位置はトラックピッチΔｒで順次外周方向に移動していく。各画素の描画パルスはその階調に応じたデューティを有するので、これによりモノクロ多階調による描画が順次進行していく。このようにして、描画は１周あたりｎ画素ずつ一定速度で連続的に行われ、ｍ周回で完了する。その結果、各画素が図１０に示す位置にそれぞれ描画されて、対応する画像が光ディスク１２の盤面に表示される。
【００５２】
同時記録・描画時に、描画を行っているレーザ光のレーザパワーのレーザパワーは、図１１に示すようになる。すなわち、１画素あたりの描画割り当て時間が一定でかつ該各画素の階調データに応じたデューティで再生パワー（非描画パワー）と記録パワー（描画パワー）の２値に変化する。記録パワーで描画層の可視光特性が変化して描画が行われる。また、このときデータ記録を行うレーザ光のレーザパワーも記録パルスに応じて再生パワーと記録パワーの２値に変化してデータ記録が行われる。同時記録・描画時にデータ記録は、スピンドルモータ１４をＣＡＶ回転させた状態で線密度が一定になるように行うので、記録パルスの１フレームあたりの時間は外周に行くほど短くなる。同時記録・描画時はデータ記録を行うレーザ光の再生パワー時に検出されるフォーカスエラーでフォーカス制御が行われ、トラッキングエラーでトラッキング制御が行われる。
【００５３】
以上の構成の光ディスク装置１０の各動作モード時の制御について説明する。なお、データ単独記録、同時記録・描画、データ再生はいずれもディスク内周側から外周側に向けて実行される。
《既存のＣＤ−Ｒまたは図２、図３の描画層付きＣＤ−Ｒのデータ単独記録時》
図８のスイッチ５７，６７はそれぞれＣＤ側に接続される。液晶補正素子５３は駆動されない。図９のサーボスイッチ１００，１０２はオンされ、サーボスイッチ１０４，１０６はオフされる。これにより、ＣＤ用レーザダイオード駆動回路７８は能動状態となり、ＤＶＤ用レーザダイオード駆動回路８０は休止状態（ＤＶＤ用レーザダイオード５２はオフ）となる。スイッチ１２７は記録パルスの信号レベル“１”、“０”に応じてオン、オフされる。これにより、ＣＤ用レーザダイオード５０は、記録パルスが“１”のときは電圧・電流変換器１３１，１３３の出力電流を加算した電流で駆動され、記録パルスが“０”のときは電圧・電流変換器１３１の出力電流のみで駆動される。このとき、フロントモニタ用受光素子７２で検出される記録パルスが“１”のときのレーザパワーはサンプルホールド回路９４にサンプルホールドされ、記録パルスが“０”のときのレーザパワーはサンプルホールド回路９２にサンプルホールドされる。アンプ１１９は記録パルスが“０”のときのレーザパワーを設定器１１１に設定された適宜の再生パワー指令電圧値Ｖ１に相当するパワーに制御する。アンプ１２１は、記録パルスが“１”のときのレーザパワーを設定器１１３に設定された適宜の記録パワー指令電圧値Ｖ２に相当するパワーに制御する。これにより、記録パルスに応じたデータ記録が行われる。フォーカス制御およびトラッキング制御は記録パルスが“０”のとき（つまり再生パワー時）のＣＤ用レーザ光２０の戻り光に基づいて行われる。光ピックアップ１６のスレッド送り制御はＣＤ用レーザ光２０によるトラッキングエラー信号の直流成分に基づいて行われる。スピンドル制御はウォブル信号に基づくＣＬＶ制御で行われる。記録パルスはウォブル信号に同期して一定のビットレートで生成される。
【００５４】
《既存のＣＤ−Ｒまたは図２、図３の描画層付きＣＤ−Ｒのデータ再生時》
図８のスイッチ５７，６７はそれぞれＣＤ側に接続される。液晶補正素子５３は駆動されない。図９のサーボスイッチ１００はオンされ、サーボスイッチ１０２，１０４，１０６はオフされる。これにより、ＣＤ用レーザダイオード駆動回路７８は能動状態となり、ＤＶＤ用レーザダイオード駆動回路８０は休止状態（ＤＶＤ用レーザダイオード５２はオフ）となる。スイッチ１２７，１２９は常時オフされる。これにより、ＣＤ用レーザダイオード５０は電圧・電流変換器１３１の出力電流のみで連続駆動される。このとき、フロントモニタ用受光素子７２で検出されるレーザパワーはサンプルホールド回路９２に所定周期でサンプルホールドされる。アンプ１１９はレーザパワーを設定器１１１に設定された適宜の再生パワー指令電圧値Ｖ１に相当するパワーに制御する。これにより、データ再生が行われる。フォーカス制御およびトラッキング制御はＣＤ用レーザ光２０の戻り光に基づいて行われる。光ピックアップ１６のスレッド送り制御はＣＤ用レーザ光２０によるトラッキングエラー信号の直流成分に基づいて行われる。スピンドル制御はウォブル信号または再生クロックに基づくＣＬＶ制御で行われる。
【００５５】
《既存のＤＶＤ−Ｒ（＋Ｒ）または図４の描画層付きＤＶＤ−Ｒ（＋Ｒ）のデータ単独記録時》
図８のスイッチ５７，６７はそれぞれＤＶＤ側に接続される。液晶補正素子５３は駆動されない。図９のサーボスイッチ１０４，１０６はオンされ、サーボスイッチ１００，１０２はオフされる。これにより、ＤＶＤ用レーザダイオード駆動回路８０は能動状態となり、ＣＤ用レーザダイオード駆動回路７８は休止状態（ＣＤ用レーザダイオード５０はオフ）となる。スイッチ１２９は記録パルスの信号レベル“１”、“０”に応じてオン、オフされる。これにより、ＤＶＤ用レーザダイオード５２は、記録パルスが“１”のときは電圧・電流変換器１３５，１３７の出力電流を加算した電流で駆動され、記録パルスが“０”のときは電圧・電流変換器１３５の出力電流のみで駆動される。このとき、フロントモニタ用受光素子７３で検出される記録パルスが“１”のときのレーザパワーはサンプルホールド回路９８にサンプルホールドされ、記録パルスが“０”のときのレーザパワーはサンプルホールド回路９６にサンプルホールドされる。アンプ１２３は記録パルスが“０”のときのレーザパワーを設定器１１５に設定された適宜の再生パワー指令電圧値Ｖ３に相当するパワーに制御する。アンプ１２５は、記録パルスが“１”のときのレーザパワーを設定器１１７に設定された適宜の記録パワー指令電圧値Ｖ４に相当するパワーに制御する。これにより、記録パルスに応じたデータ記録が行われる。フォーカス制御およびトラッキング制御は記録パルスが“０”のとき（つまり再生パワー時）のＤＶＤ用レーザ光２２の戻り光に基づいて行われる。光ピックアップ１６のスレッド送り制御はＤＶＤ用レーザ光２２によるトラッキングエラー信号の直流成分に基づいて行われる。スピンドル制御はウォブル信号に基づくＣＬＶ制御で行われる。記録パルスはウォブル信号に同期して一定のビットレートで生成される。
【００５６】
《既存のＤＶＤ−Ｒ（＋Ｒ）または図４の描画層付きＤＶＤ−Ｒ（＋Ｒ）のデータ再生時》
図８のスイッチ５７，６７はそれぞれＤＶＤ側に接続される。液晶補正素子５３は駆動されない。図９のサーボスイッチ１０４はオンされ、サーボスイッチ１００，１０２，１０６はオフされる。これにより、ＤＶＤ用レーザダイオード駆動回路８０は能動状態となり、ＣＤ用レーザダイオード駆動回路７８は休止状態（ＣＤ用レーザダイオード５０はオフ）となる。スイッチ１２７，１２９は常時オフされる。これにより、ＤＶＤ用レーザダイオード５２は電圧・電流変換器１３５の出力電流のみで連続駆動される。このとき、フロントモニタ用受光素子７３で検出されるレーザパワーはサンプルホールド回路９６に所定周期でサンプルホールドされる。アンプ１２３はレーザパワーを設定器１１５に設定された適宜の再生パワー指令電圧値Ｖ３に相当するパワーに制御する。これにより、データ再生が行われる。フォーカス制御およびトラッキング制御はＤＶＤ用レーザ光２２の戻り光に基づいて行われる。光ピックアップ１６のスレッド送り制御はＤＶＤ用レーザ光２２によるトラッキングエラー信号の直流成分に基づいて行われる。スピンドル制御はウォブル信号または再生クロックに基づくＣＬＶ制御で行われる。
【００５７】
《図２、図３の描画層付きＣＤ−Ｒまたは図４の描画層付きＤＶＤ−Ｒ（＋Ｒ）の同時記録・描画時（初期調整）》
同時・記録描画を行うときは、予め液晶補正素子５３でＣＤ用レーザ光２０とＤＶＤ用レーザ光２２の合焦位置間距離の調整を行う。この調整は例えば次のようにして行われる。光ディスク装置１０に光ディスク１２を装填し、光ピックアップ１６をデータ記録層３６と描画層２６が積層されている領域に移動し、図９のサーボスイッチ１０４をオンし、サーボスイッチ１００，１０２，１０６をオフし、スイッチ１２７，１２９をオフして、レーザダイオード５２を再生パワーで（電圧・電流変換器１３５の出力電流のみで）連続駆動する。この状態で図８のスイッチ５７をＤＶＤ側に接続し、ＤＶＤ用レーザ光２２の戻り光信号から検出されるフォーカスエラー信号を使用したサーボループによりフォーカスアクチュエータ７４を駆動して、ＤＶＤのデータ記録層に相当する位置にある層（図２、図３の描画層付きＣＤ−Ｒの場合は描画層２６、図４の描画層付きＤＶＤ−Ｒ（＋Ｒ）の場合はデータ記録層３６）に対しフォーカス制御を行う。
【００５８】
このフォーカス制御で合焦状態が得られたら、この合焦状態を保ったまま（フォーカスサーボをオンしたまま）図９のサーボスイッチ１００をオンし、レーザダイオード５０を再生パワーで（電圧・電流変換器１３１の出力電流のみで）連続駆動する。このとき図８のスイッチ６１はＣＤ側に接続し、スイッチ６３は接点Ｂ側に接続し、ＣＤ用レーザ光２０の戻り光から検出されるフォーカスエラー信号を使用したサーボループにより液晶補正素子５３を駆動して、ＣＤのデータ記録層に相当する位置にある層（図２、図３の描画層付きＣＤ−Ｒの場合はデータ記録層３６、図４の描画層付きＤＶＤ−Ｒ（＋Ｒ）の場合は描画層２６）に対しフォーカス制御を行う。このフォーカス制御で所望の合焦状態（ジャストフォーカス状態または描画に好適なビームスポット径が得られるようにジャストフォーカスから少し外れた状態）が得られたら、光ディスク１２内で２本のレーザ光２０，２２の合焦位置間距離はデータ記録層３６と描画層２６間の距離に調整されたことになるので、そのときの調整値（液晶補正素子５３の駆動値）を図８のＡ／Ｄ変換器５１でディジタルデータに変換し、制御部１９内に格納する。その後、スイッチ６３は接点Ｃに接続され、制御部１９は前記格納した駆動電圧データをＤ／Ａ変換して固定電圧としてスイッチ６３の接点Ｃに供給する。以後、同時記録・描画動作を終了するまで、この固定電圧で液晶補正素子５３を駆動して、２本のレーザ光２０，２２の合焦位置間距離をこの調整された状態に保持する。以上で同時・記録描画時の初期調整を終了する。
【００５９】
《図２、図３の描画層付きＣＤ−Ｒの同時記録・描画時（同時記録・描画実行時）》
図８のスイッチ５７をＣＤ側に接続し、ＣＤ用レーザ光２０の戻り光信号から検出されるフォーカスエラー信号を使用したサーボループによりフォーカスアクチュエータ７４を駆動してデータ記録層３６に対しフォーカス制御を行う。同様に、スイッチ６７をＣＤ側に接続し、ＣＤ用レーザ光２０の戻り光信号から検出されるトラッキングエラー信号を使用したサーボループによりトラッキングアクチュエータ７６を駆動してデータ記録層３６に対しトラッキング制御を行う。また、このとき直流成分検出回路７５で検出されるトラッキングエラー信号の直流成分を使用したサーボループによりスレッド送りモータ１１を駆動してスレッド送り制御を行う。スピンドル制御はＦＧパルスが所定の基準クロックに同期するようにスピンドルモータ１４を駆動するＣＡＶ制御で行う。描画パルスはこの基準クロックに同期して一定のビットレートで生成される。記録パルスはウォブル信号に同期して一定のビットレートで生成される。これにより、データ記録および描画が同時に正しく行われる。
【００６０】
同時記録・描画実行時は、図９のサーボスイッチ１００，１０２，１０４，１０６をすべてオンする。また、スイッチ１２７を記録パルスの信号レベル“１”、“０”に応じてオン、オフする。これによりＣＤ用レーザダイオード５０は、記録パルスが“１”のときは電圧・電流変換器１３１，１３３の出力電流を加算した電流で駆動され、記録パルスが“０”のときは電圧・電流変換器１３１の出力電流のみで駆動される。このとき、フロントモニタ用受光素子７２で検出される記録パルスが“１”のときのレーザパワーはサンプルホールド回路９４にサンプルホールドされ、記録パルスが“０”のときのレーザパワーはサンプルホールド回路９２にサンプルホールドされる。アンプ１１９は記録パルスが“０”のときのレーザパワーを設定器１１１に設定された適宜の再生パワー指令電圧値Ｖ１に相当するパワーに制御する。アンプ１２１は、記録パルスが“１”のときのレーザパワーを設定器１１３に設定された適宜の記録パワー指令電圧値Ｖ２に相当するパワーに制御する。これにより、記録パルスに応じたデータ記録が行われる。フォーカス制御およびトラッキング制御は記録パルスが“０”のとき（つまり再生パワー時）のＣＤ用レーザ光２０の戻り光に基づいて行われる。
【００６１】
同時記録・描画実行時は、データ記録と並行して、スイッチ１２９を描画パルスの信号レベル“１”、“０”に応じてオン、オフする。これにより、ＤＶＤ用レーザダイオード５２は、描画パルスが“１”のときは電圧・電流変換器１３５，１３７の出力電流を加算した電流で駆動され、描画パルスが“０”のときは電圧・電流変換器１３５の出力電流のみで駆動される。このとき、フロントモニタ用受光素子７３で検出される描画パルスが“１”のときのレーザパワーはサンプルホールド回路９８にサンプルホールドされ、描画パルスが“０”のときのレーザパワーはサンプルホールド回路９６にサンプルホールドされる。アンプ１２３は描画パルスが“０”のときのレーザパワーを設定器１１５に設定された適宜の再生パワー（非描画パワー）指令電圧値Ｖ３に相当するパワーに制御する。アンプ１２５は、描画パルスが“１”のときのレーザパワーを設定器１１７に設定された適宜の記録パワー（描画パワー）指令電圧値Ｖ４に相当するパワーに制御する。これにより、描画パルスに応じた描画が行われる。なお、描画用レーザ光のレーザパワーはデータ記録用レーザ光のレーザパワーほど厳密さは必要ないので、描画用レーザ光（この場合ＤＶＤ用レーザ光２２）についてはサーボループを形成することなく固定の駆動電流｛再生（非描画）パワー用駆動電流および記録（描画）パワー用駆動電流｝で駆動することもできる。このとき、サーボスイッチ１０４，１０６はオフされ、アンプ１２３，１２５はバッファーアンプとして固定電圧Ｖ３，Ｖ４をそれぞれ出力する。
【００６２】
この同時記録・描画時の合焦状態は前出の図２、図３に示すようになる。すなわち、ＣＤ用レーザ光２０はデータ記録層３６に合焦し、ＤＶＤ用レーザ光２２は描画層２６に合焦した状態となる。ＤＶＤ用レーザ光２２は、トラッキング制御されているＣＤ用レーザ光２０と一体にディスク径方向に移動するので、トラックピッチに相当する径方向密度で描画が行われる。
【００６３】
《図４の描画層付きＤＶＤ−Ｒ（＋Ｒ）の同時記録・描画時（同時記録・描画実行時）》
図８のスイッチ５７をＤＶＤ側に接続し、ＤＶＤ用レーザ光２２の戻り光信号から検出されるフォーカスエラー信号を使用したサーボループによりフォーカスアクチュエータ７４を駆動してデータ記録層３６に対しフォーカス制御を行う。同様に、スイッチ６７をＤＶＤ側に接続し、ＤＶＤ用レーザ光２２の戻り光信号から検出されるトラッキングエラー信号を使用したサーボループによりトラッキングアクチュエータ７６を駆動してデータ記録層３６に対しトラッキング制御を行う。また、このとき直流成分検出回路７５で検出されるトラッキングエラー信号の直流成分を使用したサーボループによりスレッド送りモータ１１を駆動してスレッド送り制御を行う。スピンドル制御はＦＧパルスが所定の基準クロックに同期するようにスピンドルモータ１４を駆動するＣＡＶ制御で行う。描画パルスはこの基準クロックに同期して一定のビットレートで生成される。記録パルスはウォブル信号に同期して一定のビットレートで生成される。これにより、データ記録および描画が正しく行われる。
【００６４】
同時記録・描画実行時は、図９のサーボスイッチ１００，１０２，１０４，１０６をすべてオンする。また、スイッチ１２９を記録パルスの信号レベル“１”、“０”に応じてオン、オフする。これによりＤＶＤ用レーザダイオード５２は、記録パルスが“１”のときは電圧・電流変換器１３５，１３７の出力電流を加算した電流で駆動され、記録パルスが“０”のときは電圧・電流変換器１３５の出力電流のみで駆動される。このとき、フロントモニタ用受光素子７３で検出される記録パルスが“１”のときのレーザパワーはサンプルホールド回路９８にサンプルホールドされ、記録パルスが“０”のときのレーザパワーはサンプルホールド回路９６にサンプルホールドされる。アンプ１２３は記録パルスが“０”のときのレーザパワーを設定器１１５に設定された適宜の再生パワー指令電圧値Ｖ３に相当するパワーに制御する。アンプ１２４は、記録パルスが“１”のときのレーザパワーを設定器１１７に設定された適宜の記録パワー指令電圧値Ｖ４に相当するパワーに制御する。これにより、記録パルスに応じたデータ記録が行われる。フォーカス制御およびトラッキング制御は記録パルスが“０”のとき（つまり再生パワー時）のＤＶＤ用レーザ光２２の戻り光に基づいて行われる。
【００６５】
同時記録・描画実行時は、データ記録と並行して、スイッチ１２７を描画パルスの信号レベル“１”、“０”に応じてオン、オフする。これにより、ＣＤ用レーザダイオード５０は、描画パルスが“１”のときは電圧・電流変換器１３１，１３３の出力電流を加算した電流で駆動され、描画パルスが“０”のときは電圧・電流変換器１３１の出力電流のみで駆動される。このとき、フロントモニタ用受光素子７２で検出される描画パルスが“１”のときのレーザパワーはサンプルホールド回路９４にサンプルホールドされ、描画パルスが“０”のときのレーザパワーはサンプルホールド回路９２にサンプルホールドされる。アンプ１１９は描画パルスが“０”のときのレーザパワーを設定器１１１に設定された適宜の再生パワー（非描画パワー）指令電圧値Ｖ１に相当するパワーに制御する。アンプ１２１は、描画パルスが“１”のときのレーザパワーを設定器１１３に設定された適宜の記録パワー（描画パワー）指令電圧値Ｖ２に相当するパワーに制御する。これにより、描画パルスに応じた描画が行われる。なお、描画用レーザ光のレーザパワーはデータ記録用レーザ光のレーザパワーほど厳密さは必要ないので、描画用レーザ光（この場合ＣＤ用レーザ光２０）についてはサーボループを形成することなく固定の駆動電流｛再生（非描画）パワー用駆動電流および記録（描画）パワー用駆動電流｝で駆動することもできる。このとき、サーボスイッチ１００，１０２はオフされ、アンプ１１９，１２１はバッファーアンプとして固定電圧Ｖ１，Ｖ２をそれぞれ出力する。
【００６６】
この同時記録・描画時の合焦状態は前出の図４に示すようになる。すなわち、ＤＶＤ用レーザ光２２はデータ記録層３６に合焦し、ＣＤ用レーザ光２０は描画層２６に合焦した状態となる。ＣＤ用レーザ光２０は、トラッキング制御されているＤＶＤ用レーザ光２２と一体にディスク径方向に移動するので、トラックピッチに相当する径方向密度で描画が行われる。
【００６７】
次に、同時記録・描画時の制御手順を図１２を参照して説明する。図１２の制御は図４の描画層付きＤＶＤ−Ｒ（＋Ｒ）を使用して、ＤＶＤ用レーザ光２２でデータ記録を行いＣＤ用レーザ光２０で描画を行う場合を想定している。また、図１２の制御は図１３に示す同時記録・描画の２つのケースを考慮している。いずれのケースもデータ記録はＤＡＯ（ディスク・アット・ワンス）記録で行われる。図１３（ａ）のケース１は半径ｒ１で先にデータ記録を開始し、データ記録の途中の半径ｒ２で描画を開始し、半径ｒ２〜ｒ５でデータ記録と描画を並行して行い（途中の半径ｒ３〜ｒ４の区間は描画を休止）、半径ｒ５でデータ記録を先に終了し、その後半径ｒ６で描画を終了するものである。半径ｒ５〜ｒ６は描画のみ行われるが、この間トラッキング制御を続ける必要があるので、ＤＶＤ用レーザ光２２を再生パワーで駆動する。図１３（ｂ）のケース２は半径ｒ１〜ｒ２でデータ記録を行い、その後半径ｒ３〜ｒ４で描画を行うものである。半径ｒ３〜ｒ４は描画のみ行われるが、この間トラッキング制御を続ける必要があるので、半径ｒ２でデータ記録を終了してから半径ｒ４で描画を終了するまでの間はＤＶＤ用レーザ光２２を再生パワーで駆動する。
【００６８】
図１２の制御について説明する。はじめに同時記録・描画時のディスク回転数を設定し、スピンドルモータ１４をその回転数にＣＡＶ制御する（Ｓ１）。続いて両レーザ光２０，２２を点灯してそれぞれのパワー調整を行う（Ｓ２）。すなわち、ＤＶＤ用レーザ光２２についてはフロントモニタ用受光素子７３（図５、図９）でそのレーザパワーを検出し、所定の再生パワーと記録パワーが得られるようにＤＶＤ用レーザ光２２の駆動電流を調整する。この調整した状態でデータ記録を開始し、データ記録中もこのサーボループを使用して、ＡＬＰＣ制御によりレーザパワーが上記所定の再生パワーと記録パワーに保たれるようにする。また、ＣＤ用レーザ光２０についてはフロントモニタ用受光素子７２（図５、図９）でそのレーザパワーを検出し、所定の再生パワー（非描画パワー）と記録パワー（描画パワー）が得られるようにＣＤ用レーザ光２０の駆動電流を調整する。この調整した状態で描画を開始し、描画中もこのサーボループを使用して、ＡＬＰＣ制御によりレーザパワーが上記所定の再生パワー（非描画パワー）と記録パワー（描画パワー）に保たれるようにする。
【００６９】
続いてＤＶＤ用レーザ光２２についてフォーカス制御およびトラッキング制御をオンする（Ｓ３）。フォーカス制御およびトラッキング制御がロック状態に引き込まれたら、ＣＤ用レーザ光２２により検出されるフォーカスエラーに基づき液晶補正素子５３を駆動してＣＤ用レーザ光２０とＤＶＤ用レーザ光２２の合焦位置間距離の調整を行う（Ｓ４）。この調整を終了したら、この調整された合焦位置間距離を同時記録・描画が終了するまで保持する。そして、ＤＶＤ用レーザ光２２を用いてＯＰＣ制御（Optimum Power Control）を実行し、データ記録に使用する最適記録パワーを求める（Ｓ５）。このとき、同時記録・描画実行中に近い状態でＯＰＣ制御を行うために、ＣＤ用レーザ光２０を適宜の描画パルスで駆動しながらＯＰＣ制御を行うこともできる。最適記録パワーが求められたら、光ピックアップ１６をデータ記録開始位置に移動させる（Ｓ６）。ＣＤ用レーザ光２０については描画さえできればよいので、ＯＰＣ制御を行う必要はなく、固定の記録パワー（描画パワー）を使用する。最適記録パワーが求められたら、記録パワーをその値に設定してデータ記録開始位置（図１３（ａ），（ｂ）の半径ｒ１の位置）からデータ記録を開始する（Ｓ７）。データ記録の進行に伴い、光ピックアップ１６をスレッド送り制御によりディスク外周方向に順次移送する（Ｓ８）。
【００７０】
その後描画開始位置に到達したら（Ｓ９）（図１３（ａ）の半径ｒ２）、ＣＤ用レーザ光２０のパワーを描画パルスで変調して描画を開始する（Ｓ１０）。そしてデータ記録と描画を同時に行いながら、その進行に伴い光ピックアップ１６をＤＶＤ用レーザ光２２に基づくスレッド送り制御によりディスク外周方向に順次移送する（Ｓ１１）。その後データ記録が描画よりも先に終了するときは（Ｓ１２で“ＹＥＳ”）（図１３（ａ）の半径ｒ５）、データ記録を終了した時点でＤＶＤ用レーザ光２２について記録パワーをオフし、再生パワーでトラッキング制御を続行する（Ｓ１３）。そして描画が終了したら（Ｓ１４）（図１３（ａ）の半径ｒ６）、制御を終了する。描画がデータ記録よりも先に終了するときは（Ｓ１２で“ＮＯ”）、描画を終了したらＣＤ用レーザ光２０を消灯し（Ｓ１５）、その後データ記録を終了したらＤＶＤ用レーザ光２２を消灯して制御を終了するＳ１６）。
【００７１】
描画開始位置に到達する前に（Ｓ９で“ＮＯ”）データ記録を終了した場合は（Ｓ１７で“ＹＥＳ”）（図１３（ｂ）の半径ｒ２）、データ記録を終了した時点でＤＶＤ用レーザ光２２について記録パワーをオフする（Ｓ１８）。そして光ピックアップ１６を描画開始位置に移動させ（Ｓ１９）（図１３（ｂ）の半径ｒ３）、再生パワーのＤＶＤ用レーザ光２２でデータ記録層３６にトラッキング制御を行って（Ｓ２０）、ＣＤ用レーザ光２０で描画を開始し（Ｓ２１）、描画を行う（Ｓ２２）。そして描画が終了したら（Ｓ２３）（図１３（ｂ）の半径ｒ４）、制御を終了する。
【００７２】
なお、以上は図４の描画層付きＤＶＤ−Ｒ（＋Ｒ）を使用して、ＤＶＤ用レーザ光２２でデータ記録を行いＣＤ用レーザ光２０で描画を行う場合について説明したが、図２、図３の描画層付きＣＤ−Ｒを使用して、ＣＤ用レーザ光２０でデータ記録を行いＤＶＤ用レーザ光２２で描画を行う場合は、図１２のステップＳ５以降の制御についてＤＶＤに関する制御とＣＤに関する制御を入れ換えた内容にすればよい。
【００７３】
また、以上は同時記録・描画動作実行中に、２本のレーザ光２０，２２の合焦位置間距離を、同時記録・描画動作実行前の初期調整で調整した状態に保持する場合について説明したが、これに代えて、同時記録・描画動作実行中に直流成分検出回路７９（図８点線）でフォーカス制御に使用していない方のフォーカスエラー信号の直流成分を検出してスイッチ６３の接点Ａに供給し、スイッチ６３を接点Ａに接続してこの直流成分を打ち消すように液晶補正素子５３を制御することもできる。
【００７４】
また、以上説明した実施の形態では液晶補正素子５３をＣＤ用レーザ光２０の光軸に配置した場合について説明したが、ＤＶＤ用レーザ光２２の光軸に配置することもできる。液晶補正素子５３をＣＤ用レーザ光２０の光軸に配置した場合と、ＤＶＤ用レーザ光２２の光軸に配置した場合の制御内容をまとめると表１のようになる。
【００７５】
【表１】
2007335045.tif 000003
【００７６】
ところで、光ディスクの盤面に描画を行う場合、描画しようとする光ディスクが描画可能なディスクかどうかを予め判断する必要がある。その判断手法の一例を説明する。これは、光ディスクが描画可能なディスクであることを示す識別情報（描画可能ディスク識別情報）を新たに定義して光ディスク１２のデータ記録層に記録し、光ディスクが光ディスク装置１０（図１）に挿入されたときに、光ピックアップ１６でこの描画可能ディスク識別情報が読み取られるか否かによって、この挿入された光ディスクが描画可能かどうかを判断するものである。
【００７７】
《描画層付きＣＤ−Ｒにおける描画可能ディスク識別情報の定義例》
データ記録層のプリグルーブに記録されるＡＴＩＰの未定義コードを用いて描画可能ディスク識別情報を記録することができる。図１４はＡＴＩＰのデータ構造を示す。このデータ構造で、“Ｕ１”＝“１”とし、“Ｕ２〜Ｕ７”に描画可能ディスク識別情報を入れることができる。例えば“Ｕ１〜Ｕ７”＝“１０１０１０１”を描画可能ディスク識別情報として定義することができる。
【００７８】
《描画層付きＤＶＤ−Ｒ（＋Ｒ）における描画可能ディスク識別情報の定義例》
ＤＶＤ−Ｒの場合はデータ記録層のランドプリピットの未定義コードを用いて描画可能ディスク識別情報を記録することができる。ＤＶＤ＋Ｒの場合はデータ記録層のＡＤＩＰの未定義コードを用いて描画可能ディスク識別情報を記録することができる。
【００７９】
以上のように描画可能ディスク識別情報をデータ記録層に記録する場合の光ディスク装置１０による描画可能ディスク判断フローを図１５に示す。この制御は前出の図１２の制御を実行する前に実行される。光ディスク装置１０に光ディスク１２を挿入すると、スピンドルモータ１４が回転駆動される（Ｓ３０）。次いで、光ピックアップ１６がディスク内周部（ＡＴＩＰ情報や描画可能ディスク識別情報が記録されている径方向位置）に移送される（Ｓ３１）。ディスク内周部に達したらＣＤ用レーザ光２０を再生パワーで点灯し（ＤＶＤ用レーザ光２２は消灯）、フォーカスサーチを行い、フォーカスエラーの振幅値が最も大きく得られる層（この層がＣＤのデータ記録層の位置にある層と推定される）に合焦させる（Ｓ３２）。合焦位置でトラッキングを試行し（Ｓ３３）、トラッキングに成功したら（Ｓ３４で“ＹＥＳ”）、該トラックから読み取られる情報（例えばＡＴＩＰ情報）から描画可能ディスク識別情報の有無を判断し、該識別情報が得られた場合（Ｓ３５で“ＹＥＳ”）は同時記録・描画（ＣＤ用レーザ光２０でデータ記録を行いながらＤＶＤ用レーザ光２２で描画を行う）を許可する（Ｓ３６）。合焦位置でトラッキングに成功したが（Ｓ３４で“ＹＥＳ”）、該トラックから読み取られる情報から描画可能ディスク識別情報が得られなかった場合は（Ｓ３５で“ＮＯ”）、描画可能ディスクではないと判断して描画を禁止する（Ｓ４２）。
【００８０】
合焦位置でトラッキングできなかった場合は（Ｓ３４で“ＮＯ”。合焦位置にある層がトラックのない描画層と推定される）、ＤＶＤ用レーザ光２２を再生パワーで点灯し（ＣＤ用レーザ光２０は消灯）、フォーカスサーチを行い、フォーカスエラーの振幅値が最も大きく得られる層（この層がＤＶＤのデータ記録層の位置にある層と推定される）に合焦させる（Ｓ３７）。合焦位置でトラッキングを試行し（Ｓ３８）、トラッキングに成功したら（Ｓ３９で“ＹＥＳ”）、該トラックから読み取られる情報（例えばランドプリピット情報、ＡＤＩＰ情報）から描画可能ディスク識別情報の有無を判断し、該識別情報が得られた場合（Ｓ４０で“ＹＥＳ”）は同時記録・描画（ＤＶＤ用レーザ光２２でデータ記録を行いながらＣＤ用レーザ光２０で描画を行う）を許可する（Ｓ４１）。合焦位置でトラッキングに成功したが（Ｓ３９で“ＹＥＳ”）、該トラックから読み取られる情報から描画可能ディスク識別情報が得られなかった場合は（Ｓ４０で“ＮＯ”）、描画可能ディスクではないと判断して描画を禁止する（Ｓ４２）。合焦位置でトラッキングできなかった場合も（Ｓ３９で“ＮＯ”。ＣＤ規格ディスク，ＤＶＤ規格ディスクのいずれにも該当しないと推定される）、描画を禁止する（Ｓ４２）。
【００８１】
なお、前記実施の形態では光ピックアップからＣＤ用レーザ光とＤＶＤ用レーザ光を出射して、描画層付きＣＤ−Ｒおよび描画層付きＤＶＤ−Ｒ（＋Ｒ）に描画を行う場合について説明したが、この発明はこれ以外にも適用することができる。例えば、光ピックアップからＣＤ用レーザ光とＢＤ（ブルーディスク）用レーザ光を出射して、描画層付きＣＤ−Ｒおよび描画層付きＢＤ−Ｒに描画を行う場合にこの発明を適用することができる。また、光ピックアップからＤＶＤ用レーザ光とＢＤ（ブルーディスク）用レーザ光を出射して、描画層付きＤＶＤ−Ｒ（＋Ｒ）および描画層付きＢＤ−Ｒに描画を行う場合にこの発明を適用することができる。
【図面の簡単な説明】
【００８２】
【図１】この発明が適用された描画機能付き光ディスク装置１０のシステム構成を示すブロック図である。
【図２】この発明の描画方法で使用できるＣＤ規格記録＋描画可能型光ディスクの層構造例および２本のレーザ光の合焦状態を示す模式断面図である。
【図３】図２のＣＤ規格記録＋描画可能型光ディスクの変形例および２本のレーザ光の合焦状態を示す模式断面図である。
【図４】この発明の描画方法で使用できるＤＶＤ規格記録＋描画可能型光ディスクの他の層構造例および２本のレーザ光の合焦状態を示す模式断面図である。
【図５】図１の光ピックアップ１６の光学系の構成例を示す模式図である。
【図６】液晶補正素子５３の構成例を示す正面図である。
【図７】液晶補正素子５３による合焦位置の調整動作を示す断面図である。
【図８】図１のサーボ回路３７におけるフォーカス制御、２ビームの合焦位置間距離調整制御、トラッキング制御、スレッド送り制御に関する部分の構成例を示すブロック図である。
【図９】図５のＣＤ用レーザダイオード５０と、ＤＶＤ用レーザダイオード５２の駆動回路（図１のＡＬＰＣ回路３９とレーザドライバ２７）の構成例を示すブロック図である。
【図１０】図１の光ディスク１２の描画層に描画する１枚の画像を構成する画素の配列例を示す模式図である。
【図１１】この発明による同時記録・描画の描画パルスの一例を示す波形図である。
【図１２】図１のシステム構成による同時記録・描画時の制御手順を示すフローチャートである。
【図１３】図１２の制御で考慮している同時記録・描画の２つのケースを示す模式図である。
【図１４】ＣＤ−ＲのＡＴＩＰのデータ構造を示す
【図１５】描画可能ディスク識別情報をデータ記録層に記録する場合の図１の光ディスク装置１０による描画可能ディスク判断手順の一例を示すフローチャートである。
【符号の説明】
【００８３】
１０…描画機能付き光ディスク装置（光ディスク記録・描画装置）、１２…光ディスク、１２ａ…レーザ入射面、１２ｂ…レーベル面、１４…スピンドルモータ、１６…光ピックアップ、１８…対物レンズ、２０…ＣＤ用レーザ光、１９…制御部、２２…ＤＶＤ用レーザ光、２６…描画層、３４…グルーブ（トラック）、３６…データ記録層、３７…サーボ回路（フォーカス制御回路，合焦位置間距離調整回路）、５３…液晶補正素子（合焦位置間距離調整機構）、７２…ＣＤ光用フロントモニタを構成する受光素子、７３…ＤＶＤ光用フロントモニタを構成する受光素子、７４…フォーカスアクチュエータ（フォーカス調整機構）、７６…トラッキングアクチュエータ、ｆａ，ｆｂ，ｆ０…合焦位置。
【図１】
2007335045.tif 000004
【図２】
2007335045.tif 000005
【図３】
2007335045.tif 000006
【図４】
2007335045.tif 000007
【図５】
2007335045.tif 000008
【図６】
2007335045.tif 000009
【図７】
2007335045.tif 000010
【図８】
2007335045.tif 000011
【図９】
2007335045.tif 000012
【図１０】
2007335045.tif 000013
【図１１】
2007335045.tif 000014
【図１２】
2007335045.tif 000015
【図１３】
2007335045.tif 000016
【図１４】
2007335045.tif 000017
【図１５】
2007335045.tif 000018